(57)【特許請求の範囲】
【請求項１】
固定体に上下に相対峙して設けられたヒンジ孔又はヒンジピンを有する固定側ヒンジと、開閉体に上下に相対峙して設けられたヒンジ孔又はヒンジピンを有する可動側ヒンジとを備え、ヒンジ孔とヒンジピンとが互いに嵌め込まれた場合に左右方向に移動し得るように、上部および下部のヒンジ孔が上部および下部のヒンジピンを嵌め込み易いようにヒンジよりも大きく形成されており、ヒンジ孔とヒンジピンとが互いに嵌め込まれたり取外されたりすることによって固定体と開閉体とを互いに着脱可能に組立てるようにした遊技機枠体のヒンジ装置において、ヒンジ孔とヒンジピンとが互いに嵌め込まれ、遊技機枠を前側から見た場合において、開閉体の荷重によって、上部のヒンジピンが上部のヒンジ孔の右側または左側に受止められかつ下部のヒンジピンが下部のヒンジ孔の左側または右側に受け止められるように、上部および下部のヒンジピンが上部および下部のヒンジ孔に対して互い違いに受け止められて、上部および下部のヒンジピンの中心が上下方向に延びた１本の直線上に位置して上下相対峙して同軸状に配置されたことを特徴とする遊技機枠体のヒンジ装置。
【発明の詳細な説明】
【０００１】
【発明の属する技術分野】
本発明は、遊技機枠体のヒンジ装置に関する。
【０００２】
【従来の技術】
図１１は特開平７−２９９２２４号公報で開示されたヒンジ装置１００を示す。図１１において、ヒンジ装置１００は固定側ヒンジ１０１；１０２と可動側ヒンジ１０３；１０４とを備え、固定側ヒンジ１０１；１０２が固定体としての外枠１０５の上下に取付けられ、可動側ヒンジ１０３；１０４が開閉体としての前枠１０６の上下に取付けられている。そして、前枠１０６を外枠１０５に取付けるには、外枠１０５を遊技店における島又は製造工場における製造ライン等の設置部に固定して置き、前枠１０６を持上げて、下部可動側ヒンジ１０４に形成されたヒンジ孔１０４ａを下部固定側ヒンジ１０２より上方に突設されたヒンジピン１０２ａに上方より嵌め込んで、下部可動側ヒンジ１０４を下部固定側ヒンジ１０２の上に載せた後、前枠１０６の上部を外枠１０５に近付けて、上部可動側ヒンジ１０３より上方に突設されたヒンジピン１０３ａを上部固定側ヒンジ１０２に開閉可能に形成されたヒンジ孔１０１ａに横方向より嵌め込むことにより、前枠１０６を外枠１０５に回転可能に取付ける。その状態において、前枠１０６を外枠１０５より取外すには、ヒンジ孔１０１ａを開き、前枠１０６の上部を外枠１０５より引離して、ヒンジピン１０３ａをヒンジ孔１０１ａより横方向に取外した後、前枠１０６を持上げて、ヒンジ孔１０４ａをヒンジピン１０２ａより上方に取外すことにより、前枠１０６を外枠１０５より取外せる。
【０００３】
【発明が解決しようとする課題】
しかし、前記従来例は、ヒンジ孔１０１ａ；１０４ａとヒンジピン１０２ａ；１０３ａとを嵌め込んだり取外すことで、外枠１０５と前枠１０６と互いに着脱可能に組立てる構造であるものの、前枠１０６が遊技盤１０７、図外の球発射装置、前面化粧体１０８、上皿装置１０９、下皿装置１１０、球発射機構の球発射力を操作するハンドルグリップ１１１、制御装置を含む裏側機構１１２、リアカバー１１３及び電源装置１１４等の部品が取付けられた場合に重いことから、ヒンジ孔１０１ａ；１０４ａとヒンジピン１０２ａ；１０３ａとががたつくことがないように手で物を掴むが如くしっくりと嵌め合されて、固定側ヒンジ１０１；１０２と可動側ヒンジ１０３；１０４との嵌合部分におけるがたつきや前枠１０６の片下がり等が発生しないように、ヒンジ孔１０１ａ；１０４ａとヒンジピン１０２ａ；１０３ａとの嵌合寸法が同一に設定されている。そのため、ヒンジ孔１０１ａ；１０４ａとヒンジピン１０２ａ；１０３ａとの嵌め込み作業や取外し作業がやりずらく、前枠１０６の着脱作業が面倒であった。
【０００４】
そこで、本発明は、固定体に対する開閉体の片下がり防止と着脱作業容易との両立が図れる遊技機枠体のヒンジ装置を提供するものである。
【０００５】
【課題を解決するための手段】
本発明に係る遊技機枠体のヒンジ装置は、ヒンジ孔とヒンジピンとが互いに嵌め込まれ、遊技機枠を前側から見た場合において、開閉体の荷重によって、上部のヒンジピンが上部のヒンジ孔の右側または左側に受止められかつ下部のヒンジピンが下部のヒンジ孔の左側または右側に受け止められるように、上部および下部のヒンジピンが上部および下部のヒンジ孔に対して互い違いに受け止められて、上部および下部のヒンジピンの中心が上下方向に延びた１本の直線上に位置して上下相対峙して同軸状に配置されたことにより、開閉体は片下がりしない。又、ヒンジ孔とヒンジピンとが互いに嵌め込まれた場合に左右方向に移動し得るように、上部および下部のヒンジ孔が上部および下部のヒンジピンを嵌め込み易いようにヒンジよりも大きく形成されたことによって、ヒンジピンとヒンジ孔との嵌め込み作業や取外し作業がやり易く、開閉体の着脱作業が容易となる。
【０００６】
【発明の実施の形態】
図１〜図７は第１実施形態であって、図１は遊技機枠体１の正面を示し、図２は遊技機枠体１を分解して示し、図３は遊技機枠体１の組立工程の初期形態を示し、図４は下部固定側ヒンジ１２と下部可動側ヒンジ１４との嵌め込み初期形態を示し、図５は上部固定側ヒンジ１１と上部可動側ヒンジ１３との嵌め込み初期形態を示し、図６は下部固定側ヒンジ１２と下部可動側ヒンジ１４との嵌め込み中間形態を示し、図７は上下部固定側ヒンジ１１；１２と上下部可動側ヒンジ１３；１４との嵌め込み完了形態を示す。図４〜図７では上部固定側ヒンジ１１と上部可動側ヒンジ１３とを下側から見た形態として示し、下部固定側ヒンジ１２と下部可動側ヒンジ１４とを上側から見た形態として示す。図４〜図７において上部固定側ヒンジ１１と上部可動側ヒンジ１３との組における前側と下部固定側ヒンジ１２と下部可動側ヒンジ１４との組における前側とを同じ向きとして見易くした。
【０００７】
図１を参照し、遊技機枠体１について説明する。遊技機枠体１は額縁状の外枠２に額縁状の前枠３をヒンジ装置１０で横方向前側に片開き可能に取付けた形態である。外枠２は遊技店における島又は製造工場における製造ライン等の設置部に固定的に取付けられる固定体である。前枠３は外枠２である固定体に開閉可能に取付けられ、内部に遊技盤４や図外の球発射装置を備え、前側に前面飾り５や上皿装置６及び下皿装置７並びにハンドルグリップ８を備え、裏側に図外の制御装置や球払出機構及び電源装置等の裏側機構等の各種部品の搭載される開閉体である。ハンドルグリップ８は球発射機構の球発射量を操作する部品である。ヒンジ装置１０は外枠２に上下に相対峙して設けられた上部固定側ヒンジ１１及び下部固定側ヒンジ１２と、前枠３に上下に相対峙して設けられた上部可動側ヒンジ１３及び下部可動側ヒンジ１４とを備える。
【０００８】
第１実施形態では、上部固定側ヒンジ１１がヒンジ孔１５を有し、下部固定側ヒンジ１２がヒンジピン１６を有し、上部可動側ヒンジ１３がヒンジピン１７を有し、下部可動側ヒンジ１４がヒンジ孔１８を有する。そして、上部固定側ヒンジ１１のヒンジ孔１５と上部可動側ヒンジ１３のヒンジピン１７とが互いに嵌め込まれ、下部固定側ヒンジ１２のヒンジピン１６と下部可動側ヒンジ１４のヒンジ孔１８とが互いに嵌め込まれて、外枠２と前枠３とが互いにヒンジ装置１０で連結された場合のヒンジ装置１０にあっては、前枠３の回転運動範囲に対する上部固定側ヒンジ１１におけるヒンジ孔１５のピン受部１９と下部可動側ヒンジ１４におけるヒンジ孔１８のピン受部２０とが互い違いに形成されると共に、前枠３の回転運動範囲外に対する上部固定側ヒンジ１１におけるヒンジ孔１５のピン逃部２１と下部可動側ヒンジ１４におけるヒンジ孔１８のピン逃部２２とが互い違いに形成される。ピン逃部２１；２２はヒンジ孔１５；１８とヒンジピン１６；１７との間に隙間を形成する。
【０００９】
図２を参照し、上部固定側ヒンジ１１、下部固定側ヒンジ１２、上部可動側ヒンジ１３及び下部可動側ヒンジ１４について詳述する。上部固定側ヒンジ１１は図７にも示すように外枠２に固定された突部２５の下面に固定軸受部２６と可動軸受部２７とにより開閉可能に形成されたヒンジ孔１５を外枠２よりも前側に突出するように備える。固定軸受部２６は突部２５に固定されており、固定軸受部２６の端面部には端面部より前側に窪む後方開放状のヒンジ孔１５が形成される。ヒンジ孔１５はヒンジピン１７よりも横幅が広く形成されていて、前枠３の回転運動範囲に対する右側ピン受部１９ａと前側ピン受部１９ｂとを有すると共に、前枠３の回転運動範囲外におけるピン逃部２１とを有する。右側ピン受部１９ａと前側ピン受部１９ｂとが図１のピン受部１９を形成する。前枠３の回転運動範囲における右側ピン受部１９ａと前側ピン受部１９ｂとの間のヒンジ孔１５を形成する内周面は図７に示すようにヒンジピン１７の外周面との間に隙間を形成する屈曲面となっているが、当該内周面はヒンジピン１７の外周面との間に隙間を形成せずに接触する弧面であっても良い。ピン逃部２１はヒンジ孔１５の右側面とヒンジピン１７の外周面との間に隙間を形成する。
【００１０】
又、図７にも示すように、可動軸受部２７の先端部２８は可動軸受部２７を突部２５に回転可能に結合する軸２９に装着された２股状のばね３０によりヒンジ孔１５を閉じる方向に付勢される。ばね３０の一端は可動軸受部２７に止められ、ばね３０の他端は突部２５に止められる。先端部２８は軸２９から曲率半径Ｒの弧状であって、先端部２８がばね３０のばね力でヒンジ孔１５を閉じた状態において、可動軸受部２７の側延部はガイド面３１及び操作部３２を形成する。上部可動側ヒンジ１３は前枠３に固定された突部２５より上方に突出したヒンジピンを前枠３よりも前側に有する。
【００１１】
図２に戻り、下部固定側ヒンジ１２は外枠２に固定された突部３５より上方に突出したヒンジピン１６を外枠２よりも前側に突出するように備える。上部可動側ヒンジ１３は前枠３に固定された突部３６より上方に突出したヒンジピン１７を前枠３よりも前側に突出するように備える。下部可動側ヒンジ１４は図７にも示すように前枠３に固定された突部３７に固定された固定軸受部３８により開閉不能に形成されたヒンジ孔１８を前枠３よりも前側に突出するように有する。固定軸受部３８はヒンジ孔１８を囲み形成する筒部３９の下端より外側に突出した環状のフランジ部４０を備え、筒部３９が突部３５に形成された貫通孔４１に下方より上方に圧入されて突部２５に固定的に取付けられることにより、フランジ部４０が貫通孔４１の周りにおける突部３５の下面に接触する。ヒンジ孔１８はヒンジピン１７よりも横幅が広く形成されていて、前枠３の回転運動範囲に対する左側ピン受部２０ａと前側ピン受部２０ｂとを有すると共に、前枠３の回転運動範囲外におけるピン逃部２２とを有する。左側ピン受部２０ａと前側ピン受部２０ｂとが図１のピン受部２０を形成する。前枠３の回転運動範囲における左側ピン受部２０ａと前側ピン受部２０ｂとの間のヒンジ孔１８を形成する内周面は図７に示すようにヒンジピン１６の外周面との間に隙間を形成する屈曲面となっているが、当該内周面はヒンジピン１６の外周面との間に隙間を形成せずに接触する弧面であっても良い。ピン逃部２２はヒンジ孔１８の左側面とヒンジピン１６の外周面との間に隙間を形成する。
【００１２】
第１実施形態において、前枠３を外枠２に取付ける場合について説明する。外枠２を遊技店における島又は製造工場における製造ライン等の設置部に固定して置き、例えば人が前枠３を持上げて、図３に示すように、下部可動側ヒンジ１４のヒンジ孔１８を下部固定側ヒンジ１２のヒンジピン１６に上方より嵌め込んで、下部可動側ヒンジ１４の突部２５を下部固定側ヒンジ１２の突部３５の上に載せる。このヒンジ孔１８をヒンジピン１６に嵌め込む場合、ヒンジ孔１８がピン逃部２２を有することで、ヒンジ孔１８がヒンジピン１６より大きい形態であるので、ヒンジピン１６とヒンジ孔１８との嵌め込みが容易である。又、ピン逃部２２がヒンジ孔１８の前側や右側に位置しているので、ピン逃部２２と突部３５の外周縁との間が小寸法に形成でき、当該小寸法化によりヒンジピン１６とヒンジ孔１８との嵌め込みが一層容易となる。
【００１３】
その状態において、例えば人が前枠３の上部を外枠２の上部に近付けるように前枠３を移動する。この移動に伴い下部可動側ヒンジ１４のヒンジ孔１８が移動し、下部固定側ヒンジ１２のヒンジピン１６が図４に示す位置から図５に示す位置へと移動して図５に示すようにヒンジ孔１８のピン逃部２２に接触する一方、上部可動側ヒンジ１３のヒンジピン１７が図４の矢印Ｘ１方向に実線示位置から仮想線示位置へと移動してガイド面３１に接触する。引続く、前枠３の移動により、上部可動側ヒンジ１３のヒンジピン１７が図５に示すようにガイド面３１をばね３０のばね力に抗して押しながら矢印Ｘ２方向に移動する。更に、前枠３の移動により、上部可動側ヒンジ１３のヒンジピン１７がガイド面３１を押しながら先端部２８の方へ移動してガイド面３１と先端部２８との連接部を超えて図６に示すように上部固定側ヒンジ１１のヒンジ孔１５に嵌め込まれる。
【００１４】
このヒンジピン１７がヒンジ孔１５に嵌め込まれる場合、ヒンジ孔１５がピン逃部２１を有することで、ヒンジ孔１５がヒンジピン１７より大きい形態であるので、ヒンジピン１７とヒンジ孔１５との嵌め込みが容易である。そして、ヒンジピン１７がヒンジ孔１５に嵌め込まれることにより、先端部２８がばね３０のばね力により前側に移動してヒンジピン１７をヒンジ孔１５に保持する。これによって、前枠３が外枠２にヒンジ装置１０で片開き可能に取付けられる。この状態において、前枠３から取付けるための力を解除すると、図７に示すように前枠３の荷重Ｗにより、上部可動側ヒンジ１３のヒンジピン１７が上部固定側ヒンジ１１のヒンジ孔１５内を移動してピン受部１９に確実に受止められてピン逃部２１側に移動することはなく、下部固定側ヒンジ１２のヒンジピン１６がヒンジ孔１８内を移動してピン受部２０に完全に受止められてピン逃部２２側に移動することはない。このようにヒンジピン１６；１７がピン受部１９；２０に受止められてヒンジ孔１５；１８に嵌め込まれたことで、前枠３が片下がりすることはなく、ヒンジピン１６；１７の中心が上下方向に延びた１本の直線Ｌ上に位置しつまりヒンジピン１６；１７が上下相対峙して同軸状に配置される。
【００１５】
前記のように外枠２にヒンジ装置１０で取付けられた前枠３を取外す場合について説明する。例えば人が上部固定側ヒンジ１１の操作部３２を前側より後側に押してヒンジ孔１５を開き、前枠３の上部を前側に引寄せて前枠３を傾倒することにより、前枠３の上部を外枠２の上部より引離したまま、上部可動側ヒンジ１３のヒンジピン１７を上部固定側ヒンジ１１のヒンジ孔１５より横方向前側に取外す。このヒンジピン１７をヒンジ孔１５より取外す過程において、ヒンジ孔１５がピン逃部２１を有することで、ヒンジ孔１５がヒンジピン１７より大きい形態であるので、ヒンジピン１７とヒンジ孔１５との取外しが容易である。その後、例えば人が前枠３を持上げて、下部可動側ヒンジ１４のヒンジ孔１８を下部固定側ヒンジ１２のヒンジピン１６より上方に取外すことにより、前枠３を外枠２より取外せる。このヒンジ孔１８をヒンジピン１６より取外す場合、ヒンジ孔１８がピン逃部２２を有することで、ヒンジ孔１８がヒンジピン１６より大きい形態であるので、ヒンジピン１６とヒンジ孔１８との取外しが容易である。
【００１６】
図８は第２実施形態の上部固定側ヒンジ１１の縦断面を示す。第１実施形態が上部固定側ヒンジ１１のヒンジ孔１５を開閉可能に形成したのに対し、第２実施形態は上部固定側ヒンジ１１に片持ち梁のように取付けられたばね片４５の先端部にピン受部１９及びピン逃部２１を有するヒンジ孔１５を形成し、ばね片４５が上下方向に撓むことによってヒンジ孔１５がヒンジピン１７を受入れるようになっている。例えば、人が図２の前枠３を持上げて上部可動側ヒンジ１３のヒンジピン１７でばね片４５を上方に持上げて上方に撓ませたままヒンジピン１７をヒンジ孔１５の方向に移動することによって、ヒンジ孔１５とヒンジピン１７との位置が合ったところで、ばね片４５の復元力によって、ヒンジ孔１５とヒンジピン１７とを互いに嵌め込むことができるため、前枠３と外枠２との連結が容易となる。外枠２に取付けられた前枠３を取外す場合には、例えば、人がばね片４５の先端を指で押上げて、ヒンジ孔１５とヒンジピン１７との嵌め合いを解除した状態において、前枠３を前傾させることにより、上部固定側ヒンジ１１と上部可動側ヒンジ１３との嵌め合いを解除して、前枠３を外枠２より取外すことができる。
【００１７】
図９は第３実施形態の上部固定側ヒンジ１１の縦断面を示す。第２実施形態がヒンジ孔１５をばね片４５に形成したのに対し、第３実施形態は上部固定側ヒンジ１１のヒンジ孔１５の形成された先端部１１ａを上部固定側ヒンジ１１の外枠２に固定された基部１１ｂに軸４６で上下方向に回転可能に取付けた構造であって、先端部１１ａを矢印Ｗで示す上下方向に回転させるだけで、図２の前枠３を外枠２に取付けたり取外したりすることができる。
【００１８】
図１０は第４実施形態の上部固定側ヒンジ１１の縦断面を示す。第３実施形態が上部固定側ヒンジ１１におけるヒンジ孔１５の形成された先端部１１ａを基部１１ｂに軸４６で回転可能に連結したのに対し、第４実施形態は上部固定側ヒンジ１１におけるヒンジ孔１５の形成された先端部１１ａを基部１１ｂに板ばね４７で跳ね上げ式に結合した構造であって、板ばね４７のばね力に抗して先端部１１ａを矢印Ｗで示す上方に跳ね上げたり、板ばね４７のばね力で先端部１１ａを矢印Ｗで示す下方向に復元させたりするだけで、図２の前枠３を外枠２に取付けたり取外したりすることができる。
【図面の簡単な説明】
【図１】  第１実施形態の遊技機枠体を示す正面図。
【図２】  第１実施形態の遊技機枠体を示す分解斜視図。
【図３】  第１実施形態の組立工程の初期形態を示す模式図。
【図４】  第１実施形態の下部側嵌め込み初期形態を示す模式図。
【図５】  第１実施形態の上部側嵌め込み初期形態を示す模式図。
【図６】  第１実施形態の嵌め込み中間形態を示す模式図。
【図７】  第１実施形態の嵌め込み完了形態を示す模式図。
【図８】  第２実施形態の上部固定側ヒンジであって、ａ図は縦断面図、ｂ図は下面図。
【図９】  第３実施形態の上部固定側ヒンジを示す縦断面図。
【図１０】  第４実施形態の上部固定側ヒンジを示す縦断面図。
【図１１】  従来例を示す側面図。
【符号の説明】
１  遊技機枠体、２  外枠（固定体）、３  前枠（開閉体）、１０  ヒンジ装置、１１  上部固定側ヒンジ、１２  下部固定側ヒンジ、１３  上部可動側ヒンジ、１４  下部可動側ヒンジ、１５  ヒンジ孔、１６  ヒンジピン、１７  ヒンジピン、１８  ヒンジ孔、１９  ピン受部、２０  ピン受部、２１  ピン逃部、２２  ピン逃部、４５  ばね片、４６  軸、４７  板ばね。
【図１】
0004091291.tif 000002
【図２】
0004091291.tif 000003
【図３】
0004091291.tif 000004
【図４】
0004091291.tif 000005
【図５】
0004091291.tif 000006
【図６】
0004091291.tif 000007
【図７】
0004091291.tif 000008
【図８】
0004091291.tif 000009
【図９】
0004091291.tif 000010
【図１０】
0004091291.tif 000011
【図１１】
0004091291.tif 000012